(57)【特許請求の範囲】
【請求項１】
記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき記録動作を再開させるように構成される光ディスク記録再生装置を、外部の周辺機器とデータバスによって接続されているホスト機器によって制御する光ディスク記録再生装置の制御システムにおいて、ディスクへの信号の記録動作中にホスト機器からの記録信号の出力動作が所定時間行われないとき、バッファ用ＲＡＭに対して出力完了したデータ及びバッファ用ＲＡＭに対してまだ出力していない残存データに関する情報をホスト機器にて記憶するとともにディスクに記録したデータに関する情報を光ディスク記録再生装置に組み込まれている不揮発性メモリーにて記憶し、ホスト機器のリセット処理動作が行われてホスト機器が光ディスク記録再生装置を認識した際に、光ディスク記録再生装置よりホスト機器に対して記録信号の出力中断によって記録動作が中断したことを報知する報知信号を出力し、この報知信号がホスト機器に入力されることにより該ホスト機器は前記残存データの出力準備を行い、その準備が完了したとき光ディスク記録再生装置に対して記録再開のための命令信号を出力し、その命令信号により光ディスク記録再生装置は不揮発性メモリーに記憶されている情報に基づいて前記バッファ用ＲＡＭより読み出される信号をディスクに記録されている信号に続けて記録するようにしたことを特徴とする光ディスク記録再生装置の制御システム。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
また、斯かる光ディスク記録再生装置は、ホスト機器であるコンピューター装置と接続されて使用されることが多いが、斯かるホスト機器は、データバスによって多くの周辺機器と接続されている。
【０００４】
【発明が解決しようとする課題】
光ディスク記録再生装置では、ホスト機器であるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００５】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００６】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定値、即ち中断設定値以下になると、ディスクへの記録動作を一旦停止させ、バッフア用ＲＡＭに記憶されている記録信号の量が所定値、即ち再開設定値より多くなったとき、ディスクへの記録動作を再開させるようにした技術が開発されている。
【０００７】
また、ホスト機器より光ディスク記録再生装置に対して出力される記録信号の量が不足するとバッファアンダーランと呼ばれる状況になり、ディスクへの信号の記録動作が中断されるが、斯かる状態において何等かの異常により記録信号の出力動作が長時間行われない場合には、ホスト機器はエラーとして処理するように構成されている。斯かるエラー処理が行われると、光ディスク記録再生装置の記録動作も中止されるため、それまでディスクに記録されていた信号が無駄になるだけでなく、追記型のディスクに信号を記録している場合には、ディスクが使用不可になるという問題がある。
【０００８】
本発明は、斯かる問題を解決することが出来る光ディスク記録再生装置の制御システムを提供しようとするものである。
【０００９】
【課題を解決するための手段】
本発明は、記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき記録動作を再開させるように構成される光ディスク記録再生装置を、外部の周辺機器とデータバスによって接続されているホスト機器によって制御する光ディスク記録再生装置の制御システムにおいて、ディスクへの信号の記録動作中にホスト機器からの記録信号の出力動作が所定時間行われないとき、光バッファ用ＲＡＭに対して出力完了したデータ及びバッファ用ＲＡＭに対してまだ出力していない残存データに関する情報をホスト機器にて記憶するとともにディスクに記録したデータに関する情報を光ディスク記録再生装置に組み込まれている不揮発性メモリーにて記憶し、ホスト機器のリセット処理動作が行われてホスト機器が光ディスク記録再生装置を認識した際に、光ディスク記録再生装置よりホスト機器に対して記録信号の出力中断によって記録動作が中断したことを報知する報知信号を出力し、この報知信号がホスト機器に入力されることにより該ホスト機器に前記残存データの出力準備を行わせ、その準備が完了したとき光ディスク記録再生装置に対して記録再開のための命令信号を出力し、その命令信号により不揮発性メモリーに記憶されている情報に基づいて前記バッファ用ＲＡＭより読み出される信号がディスクに記録されている信号に続けて記録されるように光ディスク記録再生装置による記録再開動作を行わせるようにしている。
【００１０】
【実施例】
図１は本発明に係る光ディスク記録再生装置の制御システムの一実施例を示すブロック回路図である。同図において、１はスピンドルモーター（図示せず）によって回転駆動されるターンテーブル（図示せず）に載置されるディスクであり、該ターンテーブルの回転により回転駆動されるように構成されている。また、前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１１】
３は前記光学式ピックアップ２に組み込まれている光検出器から得られるＲＦ信号を増幅するとともに波形整形するＲＦ信号増幅回路、４は前記ＲＦ信号増幅回路３を介して得られる信号に基づいて前記光学式ピックアップ２より出力される光ビームをディスク１の信号面に合焦させるフォーカシング制御及び該光ビームを前記信号面の信号トラックに追従させるトラッキング制御を行うピックアップ制御回路であり、フォーカスサーボ回路及びトラッキングサーボ回路が組み込まれている。
【００１２】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１３】
８は前記デジタル信号処理回路５により復調された信号が入力されるとともに前記コンピューター装置７から出力される命令信号に応じて種々な制御動作を行うシステム制御回路である。９はテスト信号や情報信号等の記録信号が入力されるとともにその信号に対応させてレーザー駆動回路１０によるレーザーの照射動作を制御することによってデータ信号等を前記ディスク１に記録させる信号記録用回路である。
【００１４】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。１２は前記システム制御回路８によって動作が制御されるスピンドルモーター駆動回路であり、ディスク１を回転駆動させるスピンドルモーターを回転駆動制御する作用を有している。
【００１５】
また、前記コンピューター装置７はデータバス１３によってプリンターやスキャナー等の周辺機器と接続されており、周辺機器に異常が発生した場合には、リセット動作を行うように構成されている。１４はシステム制御回路８によって動作が制御されるとともに記録中断に伴う処理動作を行うとき記録再開を行うために必要な情報データが記憶される不揮発性メモリーである。
【００１６】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１１に記憶保持されている信号とディスク１に中断前に記録された信号との比較動作を行い、中断前に記録されていた信号に連続して信号が記録されるように、即ちシームレスと呼ばれる方式にて信号が記録されるように構成されている。
【００１７】
また、ディスク１への信号の記録動作が行われている間、システム制御回路８内に設けられているメモリー回路に正常記録動作が行われた位置の最終アドレスが記憶されるように構成されている。記録動作時にバッフア用ＲＡＭ１１に記憶されている記録信号の量が不足するバッファアンダーラン状態になり、記録動作が中断された場合には、前記メモリー回路に記憶されている最終アドレスに基づいて中断した位置より信号をシームレスにて記録動作を行うことが出来るように構成されている。
【００１８】
以上の如く、本発明に係る光ディスク記録再生装置の制御システムは構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００１９】
斯かる再生動作のための制御動作が開始されると、スピンドルモーター駆動回路１２によるスピンドルモーターの回転制御動作が行われるが、斯かるスピンドルモーターの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２０】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２１】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形整形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２２】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２３】
以上に説明したように本実施例における再生動作は行われるが、次にディスク１への信号の記録動作について説明する。
【００２４】
ディスク１に信号を記録する動作は、まずディスク１に設けられている試し書き領域にテスト信号を記録することによってディスク１の特性に最も適したレーザー出力を設定するための動作から開始される。斯かる設定動作は、レーザー出力を変化させながらテスト信号を記録するとともにその記録された信号を再生することにより行われる。
【００２５】
斯かるレーザー出力の設定動作が行われると、ディスク１のバッファと呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００２６】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われと、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００２７】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをメモリー回路に記憶する動作が行われている。
【００２８】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００２９】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３０】
斯かる記録再開動作は、まず、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にメモリー回路に記憶されている最終アドレスより容易に認知することが出来るとともに光学式ピックアップ２を所望の位置に移動させることが出来る。
【００３１】
斯かる再生動作によって再生される信号は、記録動作を中断させる直前に記録されていた信号であり、斯かる再生信号と前記バッファ用ＲＡＭ１１に記憶保持されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも関わらず信号を連続して記録する動作、所謂シームレス記録動作を行うことが出来る。
【００３２】
ディスク１への信号の記録動作を行っている状態において、コンピューター装置７より出力される記録信号が不足すると前述したようにディスク１への信号の記録動作を一旦中断させ、コンピューター装置７より出力される記録信号がバッファ用ＲＡＭ１１に記憶されてその量が所定量に達するとディスク１への記録動作が再開されるが、記録動作が中断された状態において、データバス１３を介して接続されている周辺機器等の影響によってコンピューター装置７より記録信号が所定時間以上出力されなくなった場合について説明する。
【００３３】
所定時間以上コンピューター装置７よりバッファ用ＲＡＭに対して記録信号が出力されなかった場合には、コンピューター装置７が異常と判断し、エラー処理を開始する、コンピューター装置７においては、それまでバッファ用ＲＡＭ１１に対して出力を完了したデータと記録するべき信号の中でまだ出力していないデータ、即ち残存データに関する情報を記憶保持する処理動作を行う。
【００３４】
一方、光ディスク記録再生装置側では、ディスク１への信号の記録中断時にメモリー回路に記憶されていたディスク１に記録したデータに関する情報を不揮発性メモリー１４に記憶保持させる処理動作を行う。斯かるディスク１に記録したデータに関する情報を不揮発性メモリー１４にて記憶保持する処理動作は、前述したバッファアンダーランと呼ばれる状態が発生したときに行われる記録の中断動作と同一である。
【００３５】
前述した処理動作、即ちそれまでバッファ用ＲＡＭ１１に対して出力を完了したデータと記録するべき信号の中でまだ出力していない残存データに関する情報を記憶保持する処理動作及びディスク１に記録したデータに関する情報を不揮発性メモリー１４にて記憶保持する処理動作を行った後コンピューター装置７によるエラー処理動作が行われる。
【００３６】
ディスク１への信号の記録動作を行っている状態において、記録信号がコンピューター装置７より長時間出力されなかった場合には、前述したエラー処理動作が行われるが、異常の原因を改善した後ディスク１への記録動作を再開させる場合の動作について説明する。
【００３７】
コンピューター装置７の再立ち上げ動作又はリセット動作等のリセット処理動作を行うと、コンピューター装置７より光ディスク記録再生装置に対する認識動作が行われる。斯かる認識動作が行われるとき、光ディスク記録再生装置に組み込まれているシステム制御回路８よりコンピューター装置７に対して記録信号の中断によって記録動作が中断せしめられていることを報知する信号が出力される。
【００３８】
斯かる信号がコンピューター装置７に入力されると、該コンピューター装置７よりディスク１への信号の記録動作を再開させるための処理動作が開始される。斯かる処理動作は、コンピューター装置７に記憶されていた情報、即ちバッファ用ＲＡＭ１１に対して出力を完了したデータと記録するべき信号の中でまだ出力していない残存データに関する情報に基づいて残存データの出力準備を行い、その準備が完了したとき、バッフア用ＲＡＭ１１への記録信号の出力動作及び光ディスク記録再生装置における記録再開動作を開始させる制御動作が行われる。斯かる記録再開動作は、不揮発性メモリー１４に記憶保持されているディスク１に記録したデータに関する情報を利用し、前述した記録中断再開動作と同様にディスク１に記録済みの信号を再生するとともにその再生された信号にバッファ用ＲＡＭ１１より読み出される信号が連続して記録されるように行われる。
【００３９】
斯かる動作が行われる結果、ディスク１への記録動作中にコンピューター装置７より何等かの異常によって記録信号が出力されなくなってもリセット処理動作を行った後にディスク１に記録されていた信号に連続するように残存データの記録動作を行うことが出来る。
【００４０】
尚、本実施例では、通常の記録中断再開動作を行う場合にディスク１の信号記録位置等の情報を記憶するメモリー回路を不揮発性メモリー１４とは別個に設けたが、該不揮発性メモリー１４によって兼用することは勿論可能である。また、不揮発性メモリー１４によってディスク１に記録したデータの情報を記憶するようにしたので、光ディスク記録再生装置の電源を遮断した後でもディスク１を認識するようにすれば、中断された信号に連続するように信号の記録動作を支障無く行うことが出来る。
【００４１】
【発明の効果】
本発明は、ディスクへの信号の記録動作中にホスト機器からの記録信号の出力動作が所定時間行われないとき、バッファ用ＲＡＭに対して出力完了したデータ及びバッファ用ＲＡＭに対してまだ出力していない残存データに関する情報をホスト機器にて記憶するとともにディスクに記録したデータに関する情報を光ディスク記録再生装置に組み込まれている不揮発性メモリーにて記憶し、ホスト機器のリセット処理動作が行われてホスト機器が光ディスク記録再生装置を認識した際に、光ディスク記録再生装置よりホスト機器に対して記録信号の出力中断によって記録動作が中断したことを報知する報知信号を出力し、この報知信号がホスト機器に入力されることにより該ホスト機器に前記残存データの出力準備を行わせ、その準備が完了したとき光ディスク記録再生装置に対して記録再開のための命令信号を出力し、その命令信号により不揮発性メモリーに記憶されている情報に基づいてバッファ用ＲＡＭより読み出される信号がディスクに記録されている信号に続けて記録されるように光ディスク記録再生装置による記録再開動作を行わせるようにしているので、ディスクへの記録動作中にホスト機器の異常によって記録信号が出力されなくなってもホスト機器のリセット処理動作が行われると、光ディスク記録再生装置による記録再開動作が行われ、ディスクに記録されている信号に連続するようにバッファ用ＲＡＭより読み出される信号を続けて記録再開することが出来る。
【図面の簡単な説明】
【図１】  本発明に係る光ディスク記録再生装置の制御システムの一実施例を示すブロック回路図である。
【符号の説明】
１        ディスク
２        光学式ピックアップ
４        ピックアップ制御回路
５        デジタル信号処理回路
７        コンピューター装置
８        システム制御回路
１１        バッファ用ＲＡＭ
１３        データバス
１４        不揮発性メモリー
【図１】
0003957447.tif 000002